(57)【要約】【課題】目地幅が変わっても調整などの必要がなく適正な装填深さにバックアップ材を装填することができ、装填したバックアップ材の装填深さを目地幅に応じて検査することができる目地バックアップ材の装填工具およびその検査治具を提供する。【解決手段】目地バックアップ材の装填工具１は、壁面の目地に装填するバックアップ材の装填工具１であって、目地を挟んで目地の両側に当てられる目地当接部１０と、目地当接部１０の中央部から突き出して目地に差し込まれ先端でバックアップ材を押し込む差し込み部２０と、を備え、目地当接部１０は、目地当接部１０が当たる位置での目地幅Ｗの変化に対して差し込み部２０の先端の位置が予め規定された目地幅Ｗと装填深さＤとの関係を満たす傾斜面（面形状）１５，１６とされる。【選択図】図１１
2018188885.tif 000002
【特許請求の範囲】
【請求項１】
壁面の目地に装填するバックアップ材の装填工具であって、
前記目地を挟んで前記目地の両側に当てられる目地当接部と、
前記目地当接部の中央部から突き出して前記目地に差し込まれ先端で前記バックアップ材を押し込む差し込み部と、を備え、
前記目地当接部は、前記目地当接部が当たる位置での目地幅の変化に対して前記差し込み部の前記先端の位置が予め規定された前記目地幅と装填深さとの関係を満たす面形状とされている、
ことを特徴とする目地バックアップ材の装填工具。
【請求項２】
前記目地当接部は、前記面形状が前記目地幅と前記装填深さとの関係を満たす複数の面で構成される、
ことを特徴とする請求項１に記載の目地バックアップ材の装填工具。
【請求項３】
前記目地当接部と前記差し込み部は、前記目地の方向に沿うブロック状に形成され、
前記ブロック状の前記目地当接部および前記差し込み部は、前記差し込み部の反対側に把持部を備えて構成される、
ことを特徴とする請求項１または２に記載の目地バックアップ材の装填工具。
【請求項４】
前記差し込み部は、両端の角部が円弧状の曲面部を備えて構成される、
ことを特徴とする請求項３に記載の目地バックアップ材の装填工具。
【請求項５】
壁面の目地に装填されたバックアップ材の装填深さを検査する目地バックアップ材の検査治具であって、
前記目地を挟んで前記目地の両側に当てられる目地当接部と、
前記目地当接部の中央部から突き出して前記目地に差し込まれる差し込み部と、を備え、
前記目地当接部は、前記目地当接部が当たる位置での目地幅の変化に対して前記差し込み部の先端の位置が予め規定された前記目地幅と前記装填深さとの関係を満たす面形状とされ、
前記目地当接部の前記目地幅での当接状態における前記差し込み部の前記先端と前記バックアップ材との隙間の有無、あるいは前記差し込み部の前記先端と前記バックアップ材との接触状態における前記目地当接部の前記目地幅での隙間の有無により前記バックアップ材の装填深さを検査する、
ことを特徴とする目地バックアップ材の検査治具。
【請求項６】
前記目地当接部は、前記面形状が前記目地幅と前記装填深さとの関係を満たす複数の面で構成される、
ことを特徴とする請求項５に記載の目地バックアップ材の検査治具。
【請求項７】
前記差し込み部は、前記目地当接部の前記目地幅に対して前記差し込み部の装填深さを予め規定された許容範囲の上限値および／または下限値とされて設けられている、
ことを特徴とする請求項５または６に記載の目地バックアップ材の検査治具。
【請求項８】
前記目地バックアップ材の検査治具は、クラックに隣接させてクラック幅を比較するクラック幅目盛を備える、
ことを特徴とする請求項５〜７のいずれかに記載の目地バックアップ材の検査治具。
【請求項９】
前記目地バックアップ材の検査治具は、長さ計測用の長さ目盛を備える、
ことを特徴とする請求項５〜８のいずれかに記載の目地バックアップ材の検査治具。
【発明の詳細な説明】
【技術分野】
【０００１】
本発明は、目地バックアップ材の装填工具およびその検査治具に関する。
【背景技術】
【０００２】
構造物の外壁材やタイルなどによる壁面の目地には、バックアップ材を装填し、シーリング材を充填して防水性や気密性を確保している。
従来、目地へのバックアップ材の装填作業は、手作業では均一な深さにバックアップ材を装填することが難しく熟練等が必要とされていたが、熟練などを必要とせずに作業ができるバックアップ材の施工具や装填治具が提案されている。
例えば、特許文献１のバックアップ材施工具は、バックアップ材を押し込む円板状の押圧部の両側に、目地の両側の面取り部に当接する当接部を設けておき、当接部を目地の両側の面取り部に当てながら押圧部を回転させてバックアップ材を押し込むように構成されている。
また、特許文献２のバックアップ材装填治具は、目地を挟むパネルの表面に当接させる第１平板体に、目地に挿入される第２平板体を係合溝と被係合溝で係合させて第１平板体からの第２平板体の突出長さをバックアップ材の適正深さとしておき、第２平板体でバックアップ材を押し込みながら第１平板体がパネル表面に当たる深さまで装填するように構成されている。
【先行技術文献】
【特許文献】
【０００３】
【特許文献１】特開２０１７−２０１６２号公報
【特許文献２】特開２００１−９８７５８号公報
【発明の概要】
【発明が解決しようとする課題】
【０００４】
通常、壁面の目地は、金属パネル、ＰＣａ（precast concrete）板、ＡＬＣ（autoclaved light-weight concrete）板、押出成形セメント板などの各種パネル（板材）の仕様などにより目地幅は一定でなく、目地幅の寸法を、例えば１０ｍｍから４０ｍｍの範囲で定めるが、目地幅が変わると、シーリング材を施工すべき装着深さを変える必要がある。
ところが、特許文献１のバックアップ材施工具は、目地幅が変わり、シーリング材の装着すべき装着深さが変わると、押圧部と当接部の寸法を変えた別の施工具が必要となり、簡単に対応することができない。
また、特許文献２のバックアップ材装填治具は、第１平板体に、目地に挿入される第２平板体を係合溝と被係合溝を係合させて第１平板体からの第２平板体の突出長さを変えることができるもの、目地幅が変わると、その都度目地幅を計測し、それに対応した突出量の異なる部分に組み替える必要があり、簡単に目地幅の変化に対応することができない。
また、目地にバックアップ材を装填した後、適正な深さにバックアップ材が装填されたか否かを検査する場合には、スケールを当てて目地幅とバックアップ材の装填深さを計測しなければならず、簡単に検査することができなかった。
【０００５】
本発明は、上記従来技術が有する課題に鑑みてなされたもので、目地幅が変わっても調整などの必要がなく適正な装填深さにバックアップ材を装填することができ、装填したバックアップ材の装填深さを目地幅に応じて検査することができる目地バックアップ材の装填工具およびその検査治具を提供することを目的とする。
【課題を解決するための手段】
【０００６】
上記目的を達成するため、本発明の第１の観点にかかる目地バックアップ材の装填工具は、
壁面の目地に装填するバックアップ材の装填工具であって、
前記目地を挟んで前記目地の両側に当てられる目地当接部と、
前記目地当接部の中央部から突き出して前記目地に差し込まれ先端で前記バックアップ材を押し込む差し込み部と、を備え、
前記目地当接部は、前記目地当接部が当たる位置での目地幅の変化に対して前記差し込み部の前記先端の位置が予め規定された前記目地幅と装填深さとの関係を満たす面形状とされている、
ことを特徴とする。
【０００７】
前記目地当接部は、前記面形状が前記目地幅と前記装填深さとの関係を満たす複数の面で構成される、ことが好ましい。
【０００８】
前記目地当接部と前記差し込み部は、前記目地の方向に沿うブロック状に形成され、
前記ブロック状の前記目地当接部および前記差し込み部は、前記差し込み部の反対側に把持部を備えて構成される、ことが好ましい。
【０００９】
前記差し込み部は、両端の角部が円弧状の曲面部を備えて構成される、ことが好ましい。
【００１０】
また、本発明の第２の観点にかかる目地バックアップ材の検査治具は、
壁面の目地に装填されたバックアップ材の装填深さを検査する目地バックアップ材の検査治具であって、
前記目地を挟んで前記目地の両側に当てられる目地当接部と、
前記目地当接部の中央部から突き出して前記目地に差し込まれる差し込み部と、を備え、
前記目地当接部は、前記目地当接部が当たる位置での目地幅の変化に対して前記差し込み部の先端の位置が予め規定された前記目地幅と前記装填深さとの関係を満たす面形状とされ、
前記目地当接部の前記目地幅での当接状態における前記差し込み部の前記先端と前記バックアップ材との隙間の有無、あるいは前記差し込み部の前記先端と前記バックアップ材との接触状態における前記目地当接部の前記目地幅での隙間の有無により前記バックアップ材の装填深さを検査する、
ことを特徴とする。
【００１１】
前記目地当接部は、前記面形状が前記目地幅と前記装填深さとの関係を満たす複数の面で構成される、ことが好ましい。
【００１２】
前記差し込み部は、前記目地当接部の前記目地幅に対して前記差し込み部の装填深さを予め規定された許容範囲の上限値および／または下限値とされて設けられている、ことが好ましい。
【００１３】
前記目地バックアップ材の検査治具は、クラックに隣接させてクラック幅を比較するクラック幅目盛を備える、ことが好ましい。
【００１４】
前記目地バックアップ材の検査治具は、長さ計測用の長さ目盛を備える、ことが好ましい。
【発明の効果】
【００１５】
本発明によれば、目地幅が変わっても調整などの必要がなく適正な装填深さにバックアップ材を装填することができ、装填したバックアップ材の装填深さを目地幅に応じて検査することができる目地バックアップ材の装填工具およびその検査治具を提供することができる。
【図面の簡単な説明】
【００１６】
【図１】本発明の目地バックアップ材の装填工具およびその検査治具の一実施の形態にかかる目地部分の横断面図および目地幅Ｗと装填深さＤとの関係の説明図である。
【図２】本発明の目地バックアップ材の検査治具の一実施の形態にかかる概略正面図である。
【図３】本発明の一実施の形態にかかる下限側検査部の説明図および目地幅Ｗと装填深さＤとの関係の説明図である。
【図４】本発明の一実施の形態にかかる上限側検査部の説明図および目地幅Ｗと装填深さＤとの関係の説明図である。
【図５】本発明の一実施の形態にかかる検査の説明図および検査結果の説明図である。
【図６】本発明の一実施の形態にかかる検査の説明図および検査結果の説明図である。
【図７】本発明の一実施の形態にかかる検査の説明図および検査結果の説明図である。
【図８】本発明の一実施の形態にかかる検査の説明図および検査結果の説明図である。
【図９】本発明の一実施の形態にかかる検査の説明図および検査結果の説明図である。
【図１０】本発明の一実施の形態にかかる検査の説明図および検査結果の説明図である。
【図１１】本発明の目地バックアップ材の装填工具の一実施の形態にかかる外観斜視図、反転状態の部分斜視図および目地幅Ｗと装填深さＤとの関係の説明図である。
【発明を実施するための形態】
【００１７】
以下、本発明の目地バックアップ材の装填工具およびその検査治具の一実施の形態を、図面を参照して詳細に説明する。
本発明の目地バックアップ材の装填工具１およびその検査治具２は、装填工具１によって目地幅Ｗが変わっても調整などの必要がなく適正な装填深さＤにバックアップ材Ｂを装填することができ、検査治具２によって装填したバックアップ材Ｂの装填深さＤを目地幅Ｗに応じて検査することができるようにしたものである。
目地バックアップ材の装填工具１およびその検査治具２は、目地幅Ｗに対してバックアップ材Ｂの装填深さＤを、調整などの必要がなく予め規定された関係を満たすように装填したり、予め規定された関係を満たしていることを検査する。
【００１８】
そこで、まず、目地幅Ｗに対するバックアップ材Ｂの装填深さＤの関係について説明する。
目地幅Ｗとバックアップ材Ｂの装填深さＤとの間で満たすべき関係は、例えば図１に示すように、目地幅Ｗの１０ｍｍ〜４０ｍｍの範囲に対して各目地幅Ｗでの装填深さＤに下限値と上限値があり、下限値と上限値の間の適正範囲Ａ内にバックアップ材Ｂを装填し、これを検査する。
目地幅Ｗに対する装填深さＤの下限値と上限値は、例えば、図１（ｂ）に示すように、それぞれ２本の直線的な関係で表すことができ、下限値は、直線Ｌ１，Ｌ２で、上限値は、直線Ｌ３，Ｌ４で表すことができる。
目地幅Ｗに対する装填深さＤの下限値は、目地幅Ｗが１０〜２０ｍｍの範囲では、装填深さＤの下限値が１０ｍｍで一定の直線Ｌ１で表され、目地幅Ｗが２０〜４０ｍｍの範囲では、装填深さＤは、目地幅Ｗが２０ｍｍで１０ｍｍ、目地幅Ｗが４０ｍｍで１５ｍｍとなる２点を結ぶ直線Ｌ２で表すことができる。
一方、目地幅Ｗに対する装填深さＤの上限値は、目地幅Ｗが１０〜２０ｍｍの範囲では、目地幅Ｗが１０ｍｍで装填深さＤが１０ｍｍとされ、目地幅Ｗが２０ｍｍで装填深さＤが１５ｍｍとされる２点を結ぶ直線Ｌ３で表され、目地幅Ｗが２０〜４０ｍｍの範囲では、装填深さＤは、目地幅Ｗが２０ｍｍで１５ｍｍ、目地幅Ｗが４０ｍｍで２０ｍｍとなる２点を結ぶ直線Ｌ４で表すことができる。
すなわち、目地幅Ｗが１０〜４０ｍｍの範囲内のいずれかとされる場合には、バックアップ材Ｂの装填深さＤは、４本の直線Ｌ１〜Ｌ４で囲まれた範囲Ａ内に装填する必要があり、４本の直線Ｌ１〜Ｌ４で囲まれた範囲Ａ内に装填されていることを検査する必要がある。
【００１９】
そこで、このような目地幅Ｗと装填深さＤとの関係を満たす目地バックアップ材の検査治具２について、まず、説明する。
目地バックアップ材の検査治具２は、壁面の目地Ｍに装填されたバックアップ材Ｂの装填深さ（装填位置）Ｄを検査する目地バックアップ材の検査治具２であって、目地Ｍを挟んで目地Ｍの両側に当てられる目地当接部１０と、目地当接部１０の中央部から突き出して目地Ｍに差し込まれる差し込み部２０と、を備える。目地当接部１０は、目地当接部１０が当たる位置での目地幅Ｗの変化に対して差し込み部２０の先端の位置が予め規定された目地幅Ｗと装填深さＤとの関係を満たす面形状とされる。これにより、目地当接部１０の目地幅Ｗでの当接状態における差し込み部２０の先端とバックアップ材Ｂとの隙間Δ１の有無、あるいは差し込み部２０の先端とバックアップ材Ｂとの接触状態における目地当接部１０の目地幅Ｗでの隙間Δ２の有無によりバックアップ材Ｂの装填深さＤを検査するよう構成してある。
なお、壁面は、例えば金属パネル、ＰＣａ板、ＡＬＣ板、押出成形セメント板などの各種パネル（板材）やタイルなどで構成される。
【００２０】
目地バックアップ材の検査治具２は、例えば、図２に示すように、下限側検査部２Ａと上限側検査部２Ｂとを備えて１つの検査治具２として構成される。
なお、下限側検査部２Ａと上限側検査部２Ｂとを別々に構成しても良い。
下限側検査部２Ａは、目地当接部１０と差し込み部２０の関係が、既に説明した直線Ｌ１と直線Ｌ２の関係を満たすように形成されており、目地当接部１０の中央部に突き出して差し込み部２０が形成してある。差し込み部２０は、目地Ｍに差し込むことができる幅に形成される。
目地当接部１０は、目地Ｍの両側に当てられる部分であり、目地当接部１０が当たっている位置での目地幅Ｗが下限値の装填深さＤとなるようにしてある。
すなわち、下限側検査部２Ａは、目地当接部１０の面形状が、目地幅Ｗ１が１０〜２０ｍｍの範囲では、装填深さＤ１が１０ｍｍと一定となるように差し込み部２０に対して垂直な平面１１（直線Ｌ１に対応する平面）が両側に形成される。目地幅Ｗ２が２０〜４０ｍｍの範囲では、装填深さＤ２が、目地幅Ｗが２０ｍｍのときに１０ｍｍ、目地幅Ｗが４０ｍｍのときに１５ｍｍとなる２点を結ぶ傾斜面１２（直線Ｌ２に対応する傾斜面）が平面１１の外側に形成されて構成されている。つまり、下限側検査部２Ａは、平面１１と傾斜面１２とからなる２つ（複数）の面で目地当接部１０の面形状が構成されている。
【００２１】
上限側検査部２Ｂは、目地当接部１０と差し込み部２０の関係が、既に説明した直線Ｌ３と直線Ｌ４の関係を満たすように形成されており、目地当接部１０を目地Ｍに当てたときに、中央部に突き出す差し込み部２０の先端位置（装填深さＤ）が直線Ｌ３，Ｌ４の関係を満たす面形状に形成してある。
すなわち、上限側検査部２Ｂは、目地当接部１０の面形状が、目地幅Ｗ３が１０〜２０ｍｍの範囲では、装填深さＤ３が、目地幅Ｗが１０ｍｍのときに１０ｍｍ、目地幅Ｗが２０ｍｍのときに１５ｍｍとなる２点を結ぶ傾斜面１３（直線Ｌ３に対応する傾斜面）が差し込み部２０の両側に形成される。目地幅Ｗ４が２０〜４０ｍｍの範囲では、装填深さＤ４が、目地幅Ｗが２０ｍｍのときに１５ｍｍ、目地幅Ｗが４０ｍｍのときに２０ｍｍとなる２点を結ぶ傾斜面１４（直線Ｌ４に対応する傾斜面）が傾斜面１３の外側に形成されて構成されている。つまり、上限側検査部２Ｂは、傾斜面１３と傾斜面１４との２つの傾斜面１３，１４からなる複数の面で目地当接部１０の面形状が構成されている。
【００２２】
目地バックアップ材の検査治具２は、図２に示すように、下限側検査部２Ａと上限側検査部２Ｂとの間の本体部３０にクラック幅目盛３１と、長さ目盛３２とが設けてある。
クラック幅目盛３１は、クラック幅に応じた目盛り線とクラック幅の数値とで構成され、クラックに隣接されて目盛り線と比較することで、クラック幅を読み取ることができる。
長さ目盛３２は、長さ目盛３２によって、長さを計測することができ、目地バックアップ材の検査治具２とは別に物差しなどを必要とせずに、簡単に長さを計測することができる。
本体部３０には、貫通孔３３が形成され、作業中の落下などを防止するロープなどの端部を結んだり、フックを掛けることができるようにしてある。
【００２３】
次に、このように構成した目地バックアップ材の検査治具２による検査について説明する。
まず、下限側検査部２Ａによる目地幅Ｗに対する装填深さＤの下限値から検査する。以下の検査では、目地幅Ｗが２０ｍｍの目地Ｍに装填したバックアップ材Ｂを検査する場合とする。
（１）下限側検査部２Ａの目地当接部１０の平面１１の端部（傾斜面１２の端部でもある）が目地Ｍに接触（Δ２＝０）し、これと同時に差し込み部２０の先端がバックアップ材Ｂに接触（Δ１＝０）している場合（図５参照）。
この場合には、目地幅Ｗが２０ｍｍでの装填深さＤが下限値の１０ｍｍであり、適正範囲Ａ内の点Ｘ１であり、検査合格となる。  
（２）下限側検査部２Ａの目地当接部１０の平面１１の端部（傾斜面１２の端部でもある）が目地Ｍと接触（Δ２＝？）せず、差し込み部２０の先端がバックアップ材Ｂに接触（Δ１＝０）している場合（図６参照）。
この場合には、目地幅Ｗが２０ｍｍでの装填深さＤが下限値の１０ｍｍよりも浅く、適正範囲Ａから外れた点Ｘ２であり、検査不合格となる。  
（３）下限側検査部２Ａの目地当接部１０の平面１１の端部（傾斜面１２の端部でもある）が目地Ｍと接触（Δ２＝０）しているが、差し込み部２０の先端がバックアップ材Ｂに接触（Δ１＝？）していない場合（図７参照）。
この場合には、目地幅Ｗが２０ｍｍでの装填深さＤが下限値の１０ｍｍ（点Ｘ１）よりも深く、下限値は、満たしている。
しかし、上限値（点Ｘ３）より深い場合があり、上限側での検査の必要がある。
【００２４】
次に、下限側の検査を終え、下限値は満たしている後の、上限側検査部２Ｂによる目地幅Ｗに対する装填深さＤの上限値の検査について説明する。
（４）上限側検査部２Ｂの目地当接部１０の傾斜面１３の端部（傾斜面１４の端部でもある）が目地Ｍと接触（Δ２＝？）せず、差し込み部２０の先端がバックアップ材Ｂに接触（Δ１＝０）している場合（図８参照）。
この場合には、目地幅Ｗが２０ｍｍでの装填深さＤの上限値Ｘ３の１５ｍｍよりも浅い位置に装填されているが、既に行った検査で下限値の１０ｍｍは、満たしているので、適正範囲Ａ内の矢印Ｘ４の範囲であり、検査合格となる。  
（５）上限側検査部２Ｂの目地当接部１０の傾斜面１３の端部（傾斜面１４の端部でもある）が目地Ｍと接触（Δ２＝０）し、同時に差し込み部２０の先端がバックアップ材Ｂに接触（Δ１＝０）している場合（図９参照）。
この場合には、目地幅Ｗが２０ｍｍでの装填深さＤの上限値Ｘ５の１５ｍｍの位置に装填されており、既に行った検査で下限値の１０ｍｍは、満たしているので、適正範囲Ａ内の点Ｘ５であり、検査合格となる。
（６）上限側検査部２Ｂの目地当接部１０の傾斜面１３の端部（傾斜面１４の端部でもある）が目地Ｍと接触（Δ２＝０）しているが、差し込み部２０の先端がバックアップ材Ｂと接触（Δ１＝？）していない場合（図１０参照）。
この場合には、目地幅Ｗが２０ｍｍでの装填深さＤの上限値Ｘ６の１５ｍｍよりも深い位置に装填されているので、適正範囲Ａから外れた点Ｘ６であり、検査不合格となる。
【００２５】
以上のように、目地バックアップ材の検査治具２によって下限側検査部２Ａでの検査と上限側検査部２Ｂでの検査とを行うことで、目地Ｍに装填されたバックアップ材Ｂが許容された装填深さＤの適正範囲Ａ内であるかどうかを、目地当接部１０の目地幅Ｗでの当接状態における差し込み部２０の先端とバックアップ材Ｂとの隙間Δ１の有無、あるいは差し込み部２０の先端とバックアップ材Ｂとの接触状態における目地当接部１０の目地幅Ｗでの隙間Δ２の有無によりバックアップ材Ｂの装填深さＤを簡単に検査することができる。
これにより、目地幅Ｗを計測する必要や目地幅Ｗに対する装填深さＤの関係を調べる必要もなく、効率的かつ短時間で検査することができる。
なお、上記検査では、目地幅Ｗ２０ｍｍの場合を例に説明したが、目地幅Ｗが異なる場合でも同様にして検査することができる。
【００２６】
次に、目地バックアップ材の装填工具１について、図面を参照して説明する。
目地バックアップ材の装填工具１は、図１および図１１に示すように、壁面の目地Ｍに装填するバックアップ材Ｂの装填工具１であって、目地Ｍを挟んで目地Ｍの両側に当てられる目地当接部１０と、目地当接部１０の中央部から突き出して目地に差し込まれ先端でバックアップ材Ｂを押し込む差し込み部２０と、を備え、目地当接部１０は、目地当接部１０が当たる位置での目地幅Ｗの変化に対して差し込み部２０の先端の位置が予め規定された目地幅Ｗと装填深さＤとの関係を満たす面形状とされて構成されている。
目地バックアップ材の装填工具１では、目地当接部１０と差し込み部２０は、目地Ｍの方向に沿うブロック状に形成された本体部４０を備え、ブロック状の本体部４０には、目地当接部１０および差し込み部２０の反対側に把持部４１を備えている。
【００２７】
本体部４０は、目地当接部１０及び差し込み部２０が合成樹脂製のブロック状とされ、ブロック状の本体部４０の把持部４１側にアルミニウムプレートを介して把持部４１を固定して構成してある。
本体部４０は、目地当接部１０および差し込み部２０の横断面形状が、既に説明した目地幅Ｗと装填深さＤとの関係を満たす範囲Ａ内の面で構成された面形状とされている。
すなわち、ここでの本体部４０の面形状は、図１１に示すように、下限値を示す直線Ｌ１および直線Ｌ２と、上限値を示す直線Ｌ３および直線Ｌ４との間の直線Ｌ５，Ｌ６に対応した傾斜面１５および傾斜面１６で構成してある。
こうすることで、バックアップ材Ｂの装填作業の際の誤差などによって、装填深さＤが下限値の直線Ｌ１，Ｌ２を越えて浅くなったり、上限値の直線Ｌ３，Ｌ４を越えて深くなることがないようにして施工誤差を吸収している。
また、差し込み部２０は、両端の角部が円弧状の曲面部２１を備えて構成されている。
【００２８】
この目地バックアップ材の装填工具１による目地Ｍへのバックアップ材Ｂの装填は、目地Ｍに装着するバックアップ材Ｂに、差し込み部２０を当てて目地Ｍに押し込んで行き、目地当接部１０が目地Ｍの両側に当たる位置まで押し込む。
こうすることで、所定の目地幅Ｗに対する直線Ｌ５，Ｌ６に基づく装填深さＤにバックアップ材Ｂを装填することができ、目地幅Ｗを測定したり、バックアップ材Ｂを押し込む部分の突き出し量の調整の必要もなく、簡単かつ短時間にバックアップ材Ｂを目地Ｍに装填することができる。
また、差し込み部２０は、両端の角部が円弧状の曲面部２１を備えて構成されているので、バックアップ材Ｂを押さえつけるだけでなく、バックアップ材Ｂに沿って滑らせて装填することが可能となる。
これにより、一層短時間に効率よくバックアップ材Ｂを装填することができる。
なお、差し込み部２０は、両端の角部を曲面部２１とせず、直角のままとしても良い。
【００２９】
なお、目地バックアップ材の装填工具１の目地当接部１０の面形状は、図１１に示した２本の直線Ｌ５，Ｌ６に基づく２つの傾斜面１５，１６とする場合に限らず、適正範囲Ａ内の直線に基づく傾斜面であればよく、直線の本数や傾斜面の数は、２つに限らず１つとしたり、３つ以上としても良く、適宜決定すればよい。
また、本体部４０の大きさや材質などは、作業性を考慮して適宜決定すればよく、目地バックアップ材の装填工具１全体を合成樹脂により一体成型したものなどであっても良い。
また、本体部４０に設ける把持部４１は、アルミニウムプレートを介して設ける場合に限らず、金属や合成樹脂などの他の材料のプレートを介して設けたり、プレートを介することなく本体部４０に直接設けるようにしても良い。
【００３０】
以上、実施の形態とともに、具体的に説明したように、本発明の目地バックアップ材の装填工具１によれば、壁面の目地Ｍに装填するバックアップ材Ｂの装填工具１であって、目地Ｍを挟んで目地Ｍの両側に当てられる目地当接部１０と、目地当接部１０の中央部から突き出して目地Ｍに差し込まれ先端でバックアップ材Ｂを押し込む差し込み部２０と、を備え、目地当接部１０は、目地当接部１０が当たる位置での目地幅Ｗの変化に対して差し込み部２０の先端の位置が予め規定された目地幅Ｗと装填深さＤとの関係を満たす面形状とされているので、目地Ｍに装着するバックアップ材Ｂに、差し込み部２０を当てて目地Ｍに押し込んで行き、目地当接部１０が目地Ｍの両側に当たる位置まで押し込むことで、所定の目地幅Ｗに対する装填深さＤにバックアップ材Ｂを装填することができ、目地幅Ｗが変わっても目地幅Ｗを測定したり、調整することなく、適正な装填深さＤにバックアップ材Ｂを装填することができる。
【００３１】
本発明の目地バックアップ材の装填工具１によれば、目地当接部１０は、面形状が目地幅Ｗと装填深さＤとの関係を満たす複数の傾斜面（面）１５，１６で構成されているので、目地幅Ｗに対する装填深さＤを複数の傾斜面（面）１５，１６に応じて変えて装填することができる。
【００３２】
本発明の目地バックアップ材の装填工具１によれば、目地当接部１０と差し込み部２０は、目地Ｍの方向に沿うブロック状に形成され、ブロック状の目地当接部１０および差し込み部２０は、差し込み部２０の反対側に把持部４１を備えて構成されているので、把持部４１を把持してバックアップ材Ｂを押し込むことで、目地Ｍに沿う方向のブロック状の大きさに応じた装填長さでバックアップ材Ｂを目地Ｍに均一な深さで装填することができる。
【００３３】
本発明の目地バックアップ材の装填工具１によれば、差し込み部２０は、両端の角部が円弧状の曲面部２１を備えて構成されているので、バックアップ材Ｂを押さえつけるだけでなく、バックアップ材Ｂに沿って滑らせて装填することが可能となり、一層短時間に効率よくバックアップ材Ｂを装填することができる。
【００３４】
本発明の目地バックアップ材の検査治具２によれば、壁面の目地Ｍに装填されたバックアップ材Ｂの装填深さＤを検査する目地バックアップ材の検査治具２であって、目地Ｍを挟んで目地Ｍの両側に当てられる目地当接部１０と、目地当接部１０の中央部から突き出して目地Ｍに差し込まれる差し込み部２０と、を備え、目地当接部１０は、目地当接部１０が当たる位置での目地幅Ｗの変化に対して差し込み部２０の先端の位置が予め規定された目地幅Ｗと装填深さＤとの関係を満たす面形状とされ、目地当接部１０の目地幅Ｗでの当接状態における差し込み部２０の先端とバックアップ材Ｂとの隙間Δ１の有無、あるいは差し込み部２０の先端とバックアップ材Ｂとの接触状態における目地当接部１０の目地幅Ｗでの隙間Δ２の有無によりバックアップ材Ｂの装填深さＤを検査するようにしたので、差し込み部２０を目地Ｍに差し込んだ状態での隙間Δ１およびΔ２から、目地幅Ｗが変わっても装填したバックアップ材Ｂの装填深さＤを目地幅Ｗに応じた適正な装填深さＤであるか否かを簡単かつ短時間に検査することができる。
【００３５】
本発明の目地バックアップ材の検査治具２によれば、目地当接部１０は、面形状が目地幅Ｗと装填深さＤとの関係を満たす複数の平面１１と傾斜面１２〜１４（複数の面）で構成されているので、面形状に応じた目地幅Ｗと装填深さＤとの関係を満たしているか否かを、目地Ｍに差し込み部２０を差し込んだ状態での隙間Δ１およびΔ２から、目地幅Ｗが変わっても装填したバックアップ材Ｂの装填深さＤが目地幅Ｗに応じて適正な装填深さＤであるか否かを簡単かつ短時間に検査することができる。
【００３６】
本発明の目地バックアップ材の検査治具２によれば、差し込み部２０は、目地当接部１０の目地幅Ｗに対して差し込み部２０の装填深さＤを予め規定された許容範囲の上限値および／または下限値とされて設けられているので、目地Ｍに装填されたバックアップ材Ｂが上限値や下限値を超えていないことを簡単に検査することができる。また、検査治具２に上限値を検査する差し込み部２０と下限値を検査する差し込み部２０の両方を備えることで、１つの検査治具２で下限値および上限値を一層簡単に検査することができる。
【００３７】
本発明の目地バックアップ材の検査治具２によれば、目地バックアップ材の検査治具２は、クラックに隣接させてクラック幅を比較するクラック幅目盛３１を備えているので、クラックが生じている目地Ｍに対して新たな治具などを用意することなくクラック幅を簡単に計測することができる。
【００３８】
本発明の目地バックアップ材の検査治具２によれば、目地バックアップ材の検査治具２は、長さ計測用の長さ目盛３２を備えているので、新たな治具などを用意することなく検査治具２だけで長さや幅などを簡単に計測することができる。
【００３９】
なお、本願発明は、上記実施の形態に限定するものではなく、要旨を変更しない範囲で、壁面の構成材料や他の構成要素の材料や構成などを変更して適用することができるものである。
【符号の説明】
【００４０】
１          目地バックアップ材の装填工具（装填工具）
２          目地バックアップ材の検査治具（検査治具）
２Ａ        下限側検査部
２Ｂ        上限側検査部
１０        目地当接部
１１        平面（面）
１２        傾斜面（面）
１３        傾斜面（面）
１４        傾斜面（面）
１５        傾斜面（面）
１６        傾斜面（面）
２０        差し込み部
２１        曲面部
３０        本体部
３１        クラック幅目盛
３２        長さ目盛
３３        貫通孔
４０        本体部
４１        把持部
Ａ          適正範囲
Ｂ          バックアップ材
Ｄ          装填深さ
Ｍ          目地
Ｗ          目地幅
【図１】
2018188885.tif 000003
【図２】
2018188885.tif 000004
【図３】
2018188885.tif 000005
【図４】
2018188885.tif 000006
【図５】
2018188885.tif 000007
【図６】
2018188885.tif 000008
【図７】
2018188885.tif 000009
【図８】
2018188885.tif 000010
【図９】
2018188885.tif 000011
【図１０】
2018188885.tif 000012
【図１１】
2018188885.tif 000013
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
壁面の目地に装填するバックアップ材の装填工具であって、
前記目地を挟んで前記目地の両側に当てられる目地当接部と、
前記目地当接部の中央部から突き出して前記目地に差し込まれ先端で前記バックアップ材を押し込む差し込み部と、を備え、
前記目地当接部は、前記目地当接部が当たる複数の位置での目地幅の変化に対して前記差し込み部の前記先端の位置が予め規定された前記複数の位置での前記目地幅と装填深さとの関係を満たす複数の面形状とされている、
ことを特徴とする目地バックアップ材の装填工具。
【請求項２】
前記目地当接部は、前記複数の面形状が前記目地幅と平行な平面および／または傾斜面で構成される、
ことを特徴とする請求項１に記載の目地バックアップ材の装填工具。
【請求項３】
前記目地当接部と前記差し込み部は、前記目地の方向に沿うブロック状に形成され、
前記ブロック状の前記目地当接部および前記差し込み部は、前記差し込み部の反対側に把持部を備えて構成される、
ことを特徴とする請求項１または２に記載の目地バックアップ材の装填工具。
【請求項４】
前記差し込み部は、両端の角部が円弧状の曲面部を備えて構成される、
ことを特徴とする請求項３に記載の目地バックアップ材の装填工具。
【請求項５】
壁面の目地に装填されたバックアップ材の装填深さを検査する目地バックアップ材の検査治具であって、
前記目地を挟んで前記目地の両側に当てられる目地当接部と、
前記目地当接部の中央部から突き出して前記目地に差し込まれる差し込み部と、を備え、
前記目地当接部は、前記目地当接部が当たる複数の位置での目地幅の変化に対して前記差し込み部の先端の位置が予め規定された前記複数の位置での前記目地幅と前記装填深さとの関係を満たす複数の面形状とされ、
前記目地当接部の前記目地幅での当接状態における前記差し込み部の前記先端と前記バックアップ材との隙間の有無、あるいは前記差し込み部の前記先端と前記バックアップ材との接触状態における前記目地当接部の前記目地幅での隙間の有無により前記バックアップ材の装填深さを検査する、
ことを特徴とする目地バックアップ材の検査治具。
【請求項６】
前記目地当接部は、前記複数の面形状が前記目地幅と平行な平面および／または傾斜面で構成される、
ことを特徴とする請求項５に記載の目地バックアップ材の検査治具。
【請求項７】
前記差し込み部は、前記目地当接部の前記目地幅に対して前記差し込み部の装填深さを予め規定された許容範囲の上限値および／または下限値とされて設けられている、
ことを特徴とする請求項５または６に記載の目地バックアップ材の検査治具。
【請求項８】
前記目地バックアップ材の検査治具は、クラックに隣接させてクラック幅を比較するクラック幅目盛を備える、
ことを特徴とする請求項５〜７のいずれかに記載の目地バックアップ材の検査治具。
【請求項９】
前記目地バックアップ材の検査治具は、長さ計測用の長さ目盛を備える、
ことを特徴とする請求項５〜８のいずれかに記載の目地バックアップ材の検査治具。
【手続補正２】
【補正対象書類名】明細書
【補正対象項目名】０００６
【補正方法】変更
【補正の内容】
【０００６】
上記目的を達成するため、本発明の第１の観点にかかる目地バックアップ材の装填工具は、
壁面の目地に装填するバックアップ材の装填工具であって、
前記目地を挟んで前記目地の両側に当てられる目地当接部と、
前記目地当接部の中央部から突き出して前記目地に差し込まれ先端で前記バックアップ材を押し込む差し込み部と、を備え、
前記目地当接部は、前記目地当接部が当たる複数の位置での目地幅の変化に対して前記差し込み部の前記先端の位置が予め規定された前記複数の位置での前記目地幅と装填深さとの関係を満たす複数の面形状とされている、
ことを特徴とする。
【手続補正３】
【補正対象書類名】明細書
【補正対象項目名】０００７
【補正方法】変更
【補正の内容】
【０００７】
前記目地当接部は、前記複数の面形状が前記目地幅と平行な平面および／または傾斜面で構成される、ことが好ましい。
【手続補正４】
【補正対象書類名】明細書
【補正対象項目名】００１０
【補正方法】変更
【補正の内容】
【００１０】
また、本発明の第２の観点にかかる目地バックアップ材の検査治具は、
壁面の目地に装填されたバックアップ材の装填深さを検査する目地バックアップ材の検査治具であって、
前記目地を挟んで前記目地の両側に当てられる目地当接部と、
前記目地当接部の中央部から突き出して前記目地に差し込まれる差し込み部と、を備え、
前記目地当接部は、前記目地当接部が当たる複数の位置での目地幅の変化に対して前記差し込み部の先端の位置が予め規定された前記複数の位置での前記目地幅と前記装填深さとの関係を満たす複数の面形状とされ、
前記目地当接部の前記目地幅での当接状態における前記差し込み部の前記先端と前記バックアップ材との隙間の有無、あるいは前記差し込み部の前記先端と前記バックアップ材との接触状態における前記目地当接部の前記目地幅での隙間の有無により前記バックアップ材の装填深さを検査する、
ことを特徴とする。
【手続補正５】
【補正対象書類名】明細書
【補正対象項目名】００１１
【補正方法】変更
【補正の内容】
【００１１】
前記目地当接部は、前記複数の面形状が前記目地幅と平行な平面および／または傾斜面で構成される、ことが好ましい。
【手続補正６】
【補正対象書類名】明細書
【補正対象項目名】００３０
【補正方法】変更
【補正の内容】
【００３０】
以上、実施の形態とともに、具体的に説明したように、本発明の目地バックアップ材の装填工具１によれば、壁面の目地Ｍに装填するバックアップ材Ｂの装填工具１であって、目地Ｍを挟んで目地Ｍの両側に当てられる目地当接部１０と、目地当接部１０の中央部から突き出して目地Ｍに差し込まれ先端でバックアップ材Ｂを押し込む差し込み部２０と、を備え、目地当接部１０は、目地当接部１０が当たる複数の位置での目地幅Ｗの変化に対して差し込み部２０の先端の位置が予め規定された複数の位置での目地幅Ｗと装填深さＤとの関係を満たす複数の面形状とされているので、目地Ｍに装着するバックアップ材Ｂに、差し込み部２０を当てて目地Ｍに押し込んで行き、目地当接部１０が目地Ｍの両側に当たる位置まで押し込むことで、所定の目地幅Ｗに対する装填深さＤにバックアップ材Ｂを装填することができ、目地幅Ｗが変わっても目地幅Ｗを測定したり、調整することなく、適正な装填深さＤにバックアップ材Ｂを装填することができる。
【手続補正７】
【補正対象書類名】明細書
【補正対象項目名】００３１
【補正方法】変更
【補正の内容】
【００３１】
本発明の目地バックアップ材の装填工具１によれば、目地当接部１０は、複数の面形状が目地幅Ｗと平行な平面１１および／または傾斜面（面）１５，１６で構成されているので、目地幅Ｗに対する装填深さＤを複数の平面１１や傾斜面（面）１５，１６、あるいは平面１１および傾斜面（面）１５，１６に応じて変えて装填することができる。
【手続補正８】
【補正対象書類名】明細書
【補正対象項目名】００３４
【補正方法】変更
【補正の内容】
【００３４】
本発明の目地バックアップ材の検査治具２によれば、壁面の目地Ｍに装填されたバックアップ材Ｂの装填深さＤを検査する目地バックアップ材の検査治具２であって、目地Ｍを挟んで目地Ｍの両側に当てられる目地当接部１０と、目地当接部１０の中央部から突き出して目地Ｍに差し込まれる差し込み部２０と、を備え、目地当接部１０は、目地当接部１０が当たる複数の位置での目地幅Ｗの変化に対して差し込み部２０の先端の位置が予め規定された複数の位置での目地幅Ｗと装填深さＤとの関係を満たす複数の面形状とされ、目地当接部１０の目地幅Ｗでの当接状態における差し込み部２０の先端とバックアップ材Ｂとの隙間Δ１の有無、あるいは差し込み部２０の先端とバックアップ材Ｂとの接触状態における目地当接部１０の目地幅Ｗでの隙間Δ２の有無によりバックアップ材Ｂの装填深さＤを検査するようにしたので、差し込み部２０を目地Ｍに差し込んだ状態での隙間Δ１およびΔ２から、目地幅Ｗが変わっても装填したバックアップ材Ｂの装填深さＤを目地幅Ｗに応じた適正な装填深さＤであるか否かを簡単かつ短時間に検査することができる。
【手続補正９】
【補正対象書類名】明細書
【補正対象項目名】００３５
【補正方法】変更
【補正の内容】
【００３５】
本発明の目地バックアップ材の検査治具２によれば、目地当接部１０は、複数の面形状が目地幅Ｗと平行な平面１１および／または傾斜面１２〜１４（複数の面）で構成されているので、複数の面形状に応じた目地幅Ｗと装填深さＤとの関係を満たしているか否かを、目地Ｍに差し込み部２０を差し込んだ状態での隙間Δ１およびΔ２から、目地幅Ｗが変わっても装填したバックアップ材Ｂの装填深さＤが目地幅Ｗに応じて適正な装填深さＤであるか否かを簡単かつ短時間に検査することができる。